(57)【要約】      （修正有）【課題】ＵＳＢ差込口を備えたＵＳＢ給電機能付き平型タップを提供する。【解決手段】上下のケーシングを合着させた平型タップケーシング１と、平型タップケーシング１に形成した凹部１ａと、凹部１ａに回動可能に装着した栓刃用ホルダー２と、栓刃用ホルダー２に突設した一対の栓刃金具３と、一対の栓刃金具３に電気的に接続させた受刃金具４と、凹部１ａと直交する平型タップケーシング１の両側面に設けた受刃金具４の受刃部４ａにプラグを挿通させるプラグ挿入口を設けた受刃カバー５とを備え、受刃金具４に電気的に接続させたＵＳＢ基板６を平型タップケーシング１に内装すると共にＵＳＢ差込口６ａを凹部１ａと平行する平型タップケーシング１の側面に設けたものである。【選択図】図１
0003141303.tif 000002
【実用新案登録請求の範囲】
【請求項１】
略矩形皿状の上下のケーシングを合着させた平型タップケーシングと、該平型タップケーシングの一側辺の中央に形成した凹部と、該凹部に９０度又は１８０度回動可能に装着した栓刃用ホルダーと、該栓刃用ホルダーに先端辺を突設した一対の栓刃金具と、該一対の栓刃金具に電気的に夫々接続させた２組の受刃金具と、前記凹部と直交する平型タップケーシングの両側面に夫々設けた前記２組の受刃金具の対峙する受刃部にプラグを挿通させるプラグ挿入口を設けた受刃カバーとを備え、前記２組の受刃金具に電気的に接続させた１組又は２組のＵＳＢ基板を平型タップケーシングに内装すると共にＵＳＢ差込口を前記凹部と平行する平型タップケーシングの側面に設けたことを特徴とするＵＳＢ給電機能付き平型タップ。
【請求項２】
略矩形皿状の上下のケーシングを合着させた平型タップケーシングと、該平型タップケーシングの一側辺の中央に形成した凹部と、該凹部に９０度又は１８０度回動可能に装着した栓刃用ホルダーと、該栓刃用ホルダーに先端辺を突設した一対の栓刃金具と、該一対の栓刃金具に電気的に夫々接続させた２組の受刃金具と、前記凹部と直交する平型タップケーシングの両側面に夫々設けた前記２組の受刃金具の対峙する受刃部にプラグを挿通させるプラグ挿入口を設けた受刃カバーとを備え、前記２組の受刃金具に電気的に接続させた１組又は２組のＵＳＢ基板を平型タップケーシングに内装すると共にＵＳＢ差込口を前記凹部と直交する平型タップケーシングの側面にプラグ挿入口と並設したことを特徴とするＵＳＢ給電機能付き平型タップ。
【考案の詳細な説明】
【技術分野】
【０００１】
本考案は、ＵＳＢ給電機能付き平型タップに関するものであり、更に詳細には、１組のＡＣ１００Ｖ電源用の回動プラグと２組のＡＣ１００Ｖの給電用のＤＣソケットと１組又は２組のＵＳＢ差込口を備えたＵＳＢ給電機能付き平型タップに関するものである。
【背景技術】
【０００２】
従来、この種の回動プラグを備えた平型タップは各種開発されて使用されており、また、ＵＳＢ（Ｕｎｉｖｅｒｓａｌ  Ｓｅｒｉａｌ  Ｂｕｓ）はＡＣ１００ＶをＤＣ５Ｖに変換するためにアダプターを介して行っているが、その際アダプターにはＡＣ１００Ｖの電源を必要としていた。
【０００３】
例えば、電源供給コンセント２ａ，２ｂと、モジュラージャック４と、ＵＳＢコネクタ６とを備えたことにより、パソコンや周辺機器を同時に利用する上で使い勝手をよくしたもの（特許文献１参照）や、ＵＳＢハブ１は略直方体状の器体２を有し、器体２の表面には電源用の栓刃６が一対突設される。器体２における栓刃６が突設された面と略直交する面には、パソコン又は上流のＵＳＢハブからのＵＳＢケーブルが着脱自在に接続されるＢタイプのＵＳＢコネクタ３が１個設けられ、ＵＳＢコネクタ３が設けられた面と対向する面には、周辺機器又は下流のＵＳＢハブからのＵＳＢケーブルが着脱自在に接続されるＡタイプのＵＳＢコネクタ４が４個設けられている。また、器体２の内部には、ＵＳＢコネクタ３，４にそれぞれ接続されるパソコン及び周辺機器の間の通信を制御する通信制御部と、栓刃６を介して商用電源が供給され、商用電源の電源電圧を一定の直流電圧に変換して通信制御部に供給する電源回路部とが納められているもの（特許文献２参照）等が開示されている。
【特許文献１】特開２０００−２４３５２２号公報
【特許文献２】特開２００１−６９１６５号公報
【考案の開示】
【考案が解決しようとする課題】
【０００４】
然し乍ら、特許文献１に記載のものは、コネクタに電源供給コンセント２ａ，２ｂとモジュラージャック４とＵＳＢコネクタ６とを設けているものであるが、一面に設けており嵩高に成ると共に電源を得るためには両側にプラグを備えた電源コードを必要とするもので、パーソナルコンピュータとその周辺機器を接続するには好適なもので有るが、パーソナルコンピュータの無い環境で使用する場合は使い勝手が悪いものであり、また、特許文献２に記載のものは、ＵＳＢハブに一対の栓刃を突設しているものであり、ＵＳＢ差込口は複数形成されているが、従来のＡＣ１００ＶをＵＳＢ５Ｖに変換するためのアダプターのコードを無くしただけで、ＡＣ１００Ｖの電源を必要とするものである。
【課題を解決するための手段】
【０００５】
前記課題に鑑み鋭意研鑚の結果、本考案のＵＳＢ給電機能付き平型タップは、略矩形皿状の上下のケーシングを合着させた平型タップケーシングと、ーブルタップケーシングの一側辺の中央に形成した凹部と、該凹部に回動可能に装着した栓刃用ホルダーと、栓刃用ホルダーに先端辺を突設した栓刃金具と、該栓刃金具に電気的に接続させた２組の受刃金具と、凹部と直交する平型タップケーシングの両側面に設けた受刃金具の受刃部にプラグを挿通させるプラグ挿入口を設けた受刃カバーとを備え、受刃金具に電気的に接続させたＵＳＢ基板を平型タップケーシングに内装すると共にＵＳＢ差込口を凹部と平行する平型タップケーシングの側面に設けた、又は、ＵＳＢ差込口を凹部と直交する平型タップケーシングの側面にプラグ挿入口と並設したものである。
【考案の効果】
【０００６】
本考案のＵＳＢ給電機能付き平型タップは、パーソナルコンピュータの無い環境でも、商業電源のコンセントに回動栓刃を挿通させて用いることによりＵＳＢ機器への給電を可能とするものであり、市販の変換コネクタを使用すると、携帯電話、携帯ゲーム機器、携帯デジタルオーディオなどに給電できると共に、ＡＣ電源部とするプラグ挿入口を備えているもので、コンパクトに使用できるもので、極めて有効な効果を有した実用性の高い考案である。
【考案を実施するための最良の形態】
【０００７】
以下、本考案のＵＳＢ給電機能付き平型タップの実施例を図面を用いて詳細に説明すると、図１は本考案のＵＳＢ給電機能付き平型タップの実施例の上ケーシングを外した状態の平面図であり、図２は本考案のＵＳＢ給電機能付き平型タップの実施例の正面図であり、図３は本考案のＵＳＢ給電機能付き平型タップの次実施例の上ケーシングを外した状態の平面図であり、図４は本考案のＵＳＢ給電機能付き平型タップの次実施例の側面図である。
【０００８】
本考案は、ＵＳＢ給電機能付き平型タップに関するものであり、更に詳細には、１組のＡＣ１００Ｖ電源用の回動プラグと２組のＡＣ１００Ｖの給電用のＤＣソケットと１組又は２組のＵＳＢ差込口を備えたＵＳＢ給電機能付き平型タップに関するものであり、請求項１に記載のＵＳＢ給電機能付き平型タップは、略矩形皿状の上下のケーシングを合着させた平型タップケーシング１と、該平型タップケーシング１の一側辺の中央に形成した凹部１ａと、該凹部１ａに９０度又は１８０度回動可能に装着した栓刃用ホルダー２と、該栓刃用ホルダー２に先端辺を突設した一対の栓刃金具３と、該一対の栓刃金具３に電気的に夫々接続させた２組の受刃金具４と、前記凹部１ａと直交する平型タップケーシング１の両側面に夫々設けた前記２組の受刃金具４の対峙する受刃部４ａにプラグを挿通させるプラグ挿入口５ａを設けた受刃カバー５とを備え、前記２組の受刃金具４に電気的に接続させた１組又は２組のＵＳＢ基板６を平型タップケーシング１に内装すると共にＵＳＢ差込口６ａを前記凹部１ａと平行する平型タップケーシング１の側面に設けたことを特徴とするものである。
【０００９】
更に、請求項２に記載のＵＳＢ給電機能付き平型タップは、略矩形皿状の上下のケーシングを合着させた平型タップケーシング１と、該平型タップケーシング１の一側辺の中央に形成した凹部１ａと、該凹部１ａに９０度又は１８０度回動可能に装着した栓刃用ホルダー２と、該栓刃用ホルダー２に先端辺を突設した一対の栓刃金具３と、該一対金具の栓刃３に電気的に夫々接続させた２組の受刃金具４と、前記凹部１ａと直交する平型タップケーシング１の両側面に夫々設けた前記２組の受刃金具４の対峙する受刃部４ａにプラグを挿通させるプラグ挿入口５ａを設けた受刃カバー５とを備え、前記２組の受刃金具４に電気的に接続させた１組又は２組のＵＳＢ基板６を平型タップケーシング１に内装すると共にＵＳＢ差込口６ａを前記凹部１ａと直交する平型タップケーシング１の側面にプラグ挿入口５ａと並設したことを特徴とするものである。
【実施例】
【００１０】
即ち、本考案のＵＳＢ給電機能付き平型タップの平型タップケーシング１の実施例は、図１及び図２に図示するように、略矩形皿状の上下のケーシングの夫々の開口部を合着させたもので絶縁性の合成樹脂で形成しており、内部には立設リブ等を多数形成して後述する各パーツを安定状態で組み込むもので、略正方形か正方形に近い矩形状のものである。
【００１１】
そして、凹部１ａは、平型タップケーシング１の一側辺の中央に形成したもので、後述する栓刃用ホルダー２を回動可能に組み込むためにコ字状に形成しているもので、図１に図示する実施例では、後述する一対の栓刃３が１８０度、つまり、反転するために稍深い凹部１ａと成っており、図３に図示する次実施例では一対の栓刃３は９０度の回動であり凹部１ａは稍浅く形成しているものである。
【００１２】
次に、栓刃用ホルダー２は、略短円柱状のもので凹部１ａに公知の構造により９０度又は１８０度の回動を可能とするように装着すると共に、両側に後述する一対の栓刃金具３の先端辺を突設するものである。
【００１３】
次いで、一対の栓刃金具３は商業電源のソケットに挿通させる導電性の金属製もので、基端辺を円柱状の栓刃用ホルダー２の両端面に配設して先端辺を突設させているものである。
【００１４】
更に、２組の受刃金具４は、他の電気機器の栓刃を挟持する受刃部４ａを備えると共に、板状の配線部で接続された導電性の金属製のもので、一対の栓刃金具３とは電気的に夫々接続させており、平型タップケーシング１に固着して組み込んでいるものである。
【００１５】
更には、受刃カバー５は、平型タップケーシング１の凹部１ａと直交する両側面に夫々設けているもので、２組の受刃金具４の対峙する受刃部４ａに他の電気機器のＡＣ１００Ｖの電源を取るための栓刃を挿通させるプラグ挿入口５ａを設けているものである。
【００１６】
そして、ＵＳＢ基板６は、ＡＣ１００Ｖの電流をＤＣ５．０Ｖの電流に変電させるものであり、１組又は２組のＵＳＢ基板６を２組の受刃金具４にリード線６ｂ等により電気的に接続させて、平型タップケーシング１に内装させるものである。
【００１７】
次いで、ＵＳＢ差込口６ａは、ＵＳＢ基板６への差込口で１組のＵＳＢ基板６に１つのＵＳＢ差込口６ａを設けており、平型タップケーシング１の凹部１ａと平行するの側面に設けたものであり、つまり、図１に図示した実施例では、回動栓刃を有する側面と相対する側面に１つ又は２つを設けているものである。
【００１８】
更に、本考案のＵＳＢ給電機能付き平型タップの次実施例は、図３及び図４に図示するもので、ＵＳＢ差込口６ａの配設位置以外は前述の実施例と重複するので省略する。
【００１９】
つまり、次実施例では、ＵＳＢ差込口６ａを前記凹部１ａと直交する平型タップケーシング１の側面にプラグ挿入口５ａと並設しているもので、ＵＳＢ基板６が１組の場合は何れか一方の側面に儲け、２組の場合は両側の側面に設けるものである。
【産業上の利用可能性】
【００２０】
本考案のＵＳＢ給電機能付き平型タップは、パーソナルコンピュータの無い環境でも、商業電源のコンセントに回動栓刃を挿通させて用いることによりＵＳＢ機器への給電を可能とするものであり、市販の変換コネクタを使用すると、携帯電話、携帯ゲーム機器、携帯デジタルオーディオなどに給電できると共に、ＡＣ電源部とするプラグ挿入口を備えたＵＳＢ給電機能付き平型タップを提供するものである。
【図面の簡単な説明】
【００２１】
【図１】図１は本考案のＵＳＢ給電機能付き平型タップの実施例の上ケーシングを外した状態の平面図である。
【図２】図２は本考案のＵＳＢ給電機能付き平型タップの実施例の正面図である。
【図３】図３は本考案のＵＳＢ給電機能付き平型タップの次実施例の上ケーシングを外した状態の平面図である。
【図４】図４は本考案のＵＳＢ給電機能付き平型タップの次実施例の側面図である。
【符号の説明】
【００２２】
１      平型タップケーシング
１ａ    凹部
２      栓刃用ホルダー
３      栓刃金具
４      受刃金具
４ａ    受刃部
５      受刃カバー
５ａ    プラグ挿入口
６      ＵＳＢ基板
６ａ    ＵＳＢ差込口
６ｂ    リード線
【図１】
0003141303.tif 000003
【図２】
0003141303.tif 000004
【図３】
0003141303.tif 000005
【図４】
0003141303.tif 000006